【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
ピクチャを構成するブロック単位で符号化する動画像符号化装置であって、
前記ピクチャが、前記ブロック以上の大きさの複数のタイルに分割された分割領域の情報を設定する領域設定部と、
符号化対象となるブロックの画像データを符号化してブロック符号列を生成するとともに、前記符号化対象となるブロックの復号された画像データを取得するブロック符号化部と、
前記復号された画像データを前記符号化対象となるブロックのフィルタパラメータに基づいてフィルタリングするループフィルタ部と、
前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化部と、
ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化部とを備え、
前記フィルタパラメータ符号化部は、前記符号化対象となるブロックがタイル境界に接するか否かを検査し、前記符号化対象となるブロックがタイル境界に接する場合、前記取得フラグを符号化することを特徴とする動画像符号化装置。
【請求項２】
ピクチャを構成するブロック単位で符号化する動画像符号化方法であって、
前記ピクチャが、前記ブロック以上の大きさの複数のタイルに分割された分割領域の情報を設定する領域設定ステップと、
符号化対象となるブロックの画像データを符号化してブロック符号列を生成するとともに、前記符号化対象となるブロックの復号された画像データを取得するブロック符号化ステップと、
前記復号された画像データを前記符号化対象となるブロックのフィルタパラメータに基づいてフィルタリングするループフィルタステップと、
前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、
ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備え、
前記フィルタパラメータ符号化ステップは、前記符号化対象となるブロックがタイル境界に接するか否かを検査し、前記符号化対象となるブロックがタイル境界に接する場合、前記取得フラグを符号化することを特徴とする動画像符号化方法。
【請求項３】
ピクチャを構成するブロック単位で符号化する動画像符号化プログラムであって、
前記ピクチャが、前記ブロック以上の大きさの複数のタイルに分割された分割領域の情報を設定する領域設定ステップと、
符号化対象となるブロックの画像データを符号化してブロック符号列を生成するとともに、前記符号化対象となるブロックの復号された画像データを取得するブロック符号化ステップと、
前記復号された画像データを前記符号化対象となるブロックのフィルタパラメータに基づいてフィルタリングするループフィルタステップと、
前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、
ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとをコンピュータに実行させ、
前記フィルタパラメータ符号化ステップは、前記符号化対象となるブロックがタイル境界に接するか否かを検査し、前記符号化対象となるブロックがタイル境界に接する場合、前記取得フラグを符号化することを特徴とする動画像符号化プログラム。
【請求項４】
ピクチャを構成するブロック単位で符号化する動画像符号化方法により符号化された符号化ストリームをパケット化して符号化データを得るパケット処理部と、
パケット化された前記符号化データを送信する送信部とを備え、
前記符号化方法は、
前記ピクチャが、前記ブロック以上の大きさの複数のタイルに分割された分割領域の情報を設定する領域設定ステップと、
符号化対象となるブロックの画像データを符号化してブロック符号列を生成するとともに、前記符号化対象となるブロックの復号された画像データを取得するブロック符号化ステップと、
前記復号された画像データを前記符号化対象となるブロックのフィルタパラメータに基づいてフィルタリングするループフィルタステップと、
前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、
ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備え、
前記フィルタパラメータ符号化ステップは、前記符号化対象となるブロックがタイル境界に接するか否かを検査し、前記符号化対象となるブロックがタイル境界に接する場合、前記取得フラグを符号化することを特徴とする送信装置。
【請求項５】
ピクチャを構成するブロック単位で符号化する動画像符号化方法により符号化された符号化ストリームをパケット化して符号化データを得るパケット処理ステップと、
パケット化された前記符号化データを送信する送信ステップとを備え、
前記符号化方法は、
前記ピクチャが、前記ブロック以上の大きさの複数のタイルに分割された分割領域の情報を設定する領域設定ステップと、
符号化対象となるブロックの画像データを符号化してブロック符号列を生成するとともに、前記符号化対象となるブロックの復号された画像データを取得するブロック符号化ステップと、
前記復号された画像データを前記符号化対象となるブロックのフィルタパラメータに基づいてフィルタリングするループフィルタステップと、
前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、
ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備え、
前記フィルタパラメータ符号化ステップは、前記符号化対象となるブロックがタイル境界に接するか否かを検査し、前記符号化対象となるブロックがタイル境界に接する場合、前記取得フラグを符号化することを特徴とする送信方法。
【請求項６】
ピクチャを構成するブロック単位で符号化する動画像符号化方法により符号化された符号化ストリームをパケット化して符号化データを得るパケット処理ステップと、
パケット化された前記符号化データを送信する送信ステップとをコンピュータに実行させ、
前記符号化方法は、
前記ピクチャが、前記ブロック以上の大きさの複数のタイルに分割された分割領域の情報を設定する領域設定ステップと、
符号化対象となるブロックの画像データを符号化してブロック符号列を生成するとともに、前記符号化対象となるブロックの復号された画像データを取得するブロック符号化ステップと、
前記復号された画像データを前記符号化対象となるブロックのフィルタパラメータに基づいてフィルタリングするループフィルタステップと、
前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、
ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備え、
前記フィルタパラメータ符号化ステップは、前記符号化対象となるブロックがタイル境界に接するか否かを検査し、前記符号化対象となるブロックがタイル境界に接する場合、前記取得フラグを符号化することを特徴とする送信プログラム。
【手続補正２】
【補正対象書類名】明細書
【補正対象項目名】０００９
【補正方法】変更
【補正の内容】
【０００９】
上記課題を解決するために、本発明のある態様の動画像符号化装置は、ピクチャを構成するブロック単位で符号化する動画像符号化装置であって、前記ピクチャが、前記ブロック以上の大きさの複数のタイルに分割された分割領域の情報を設定する領域設定部（１０２）と、符号化対象となるブロックの画像データを符号化してブロック符号列を生成するとともに、前記符号化対象となるブロックの復号された画像データを取得するブロック符号化部（１０２）と、前記復号された画像データを前記符号化対象となるブロックのフィルタパラメータに基づいてフィルタリングするループフィルタ部（１０４）と、前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化部（１０５）と、ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化部（１０７）とを備える。前記フィルタパラメータ符号化部（１０５）は、前記符号化対象となるブロックがタイル境界に接するか否かを検査し、前記符号化対象となるブロックがタイル境界に接する場合、前記取得フラグを符号化する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明のさらに別の態様は、動画像符号化方法である。この方法は、ピクチャを構成するブロック単位で符号化する動画像符号化方法であって、前記ピクチャが、前記ブロック以上の大きさの複数のタイルに分割された分割領域の情報を設定する領域設定ステップと、符号化対象となるブロックの画像データを符号化してブロック符号列を生成するとともに、前記符号化対象となるブロックの復号された画像データを取得するブロック符号化ステップと、前記復号された画像データを前記符号化対象となるブロックのフィルタパラメータに基づいてフィルタリングするループフィルタステップと、前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備える。前記フィルタパラメータ符号化ステップは、前記符号化対象となるブロックがタイル境界に接するか否かを検査し、前記符号化対象となるブロックがタイル境界に接する場合、前記取得フラグを符号化する。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明のさらに別の態様は、送信装置である。この装置は、ピクチャを構成するブロック単位で符号化する動画像符号化方法により符号化された符号化ストリームをパケット化して符号化データを得るパケット処理部と、パケット化された前記符号化データを送信する送信部とを備える。前記符号化方法は、前記ピクチャが、前記ブロック以上の大きさの複数のタイルに分割された分割領域の情報を設定する領域設定ステップと、符号化対象となるブロックの画像データを符号化してブロック符号列を生成するとともに、前記符号化対象となるブロックの復号された画像データを取得するブロック符号化ステップと、前記復号された画像データを前記符号化対象となるブロックのフィルタパラメータに基づいてフィルタリングするループフィルタステップと、前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備える。前記フィルタパラメータ符号化ステップは、前記符号化対象となるブロックがタイル境界に接するか否かを検査し、前記符号化対象となるブロックがタイル境界に接する場合、前記取得フラグを符号化する。
【手続補正７】
【補正対象書類名】明細書
【補正対象項目名】００１４
【補正方法】変更
【補正の内容】
【００１４】
本発明のさらに別の態様は、送信方法である。この方法は、ピクチャを構成するブロック単位で符号化する動画像符号化方法により符号化された符号化ストリームをパケット化して符号化データを得るパケット処理ステップと、パケット化された前記符号化データを送信する送信ステップとを備える。前記符号化方法は、前記ピクチャが、前記ブロック以上の大きさの複数のタイルに分割された分割領域の情報を設定する領域設定ステップと、符号化対象となるブロックの画像データを符号化してブロック符号列を生成するとともに、前記符号化対象となるブロックの復号された画像データを取得するブロック符号化ステップと、前記復号された画像データを前記符号化対象となるブロックのフィルタパラメータに基づいてフィルタリングするループフィルタステップと、前記符号化対象となるブロックのフィルタパラメータを、隣接する符号化済みのブロックから取得するか否かを示す取得フラグを符号化すると共に、前記取得フラグが取得しない旨を示す場合、前記フィルタパラメータに関する情報を符号化して、フィルタ符号列を生成するフィルタパラメータ符号化ステップと、ピクチャ特性を示すピクチャパラメータセットに前記分割領域の情報を符号化すると共に、前記ピクチャパラメータセットを符号列ストリームに多重化し、前記フィルタ符号列と前記ブロック符号列とをブロック単位で前記符号列ストリームに多重化する多重化ステップとを備える。前記フィルタパラメータ符号化ステップは、前記符号化対象となるブロックがタイル境界に接するか否かを検査し、前記符号化対象となるブロックがタイル境界に接する場合、前記取得フラグを符号化する。